(57)【要約】【課題】部品点数を増加させることなく、読取ユニット内に塵埃が進入することを抑制できる記録装置を提供すること。【解決手段】記録装置１１は、媒体９９に記録する記録部１３と、記録部を収容する筐体１２と、筐体に対して着脱可能に構成され、媒体を収容する収容部２１と、筐体の上部に位置する読取ユニット１８と、を備え、読取ユニットは、原稿を読み取る読取部２６と、原稿を案内するための案内部材１９と、読取部によって読み取られる原稿が通過する開口２７と、を有し、案内部材は、筐体に対して回転することによって、開口を露出させるとともに原稿を案内可能となる第１位置と、開口を覆う第２位置Ｄ２とに変位する。【選択図】図４
2020191527.tif 000002
【特許請求の範囲】
【請求項１】
媒体に記録する記録部と、
前記記録部を収容する筐体と、
前記筐体に対して着脱可能に構成され、前記媒体を収容する収容部と、
前記筐体の上部に位置する読取ユニットと、を備え、
前記読取ユニットは、原稿を読み取る読取部と、前記原稿を案内するための案内部材と、前記読取部によって読み取られる前記原稿が通過する開口と、を有し、
前記案内部材は、前記筐体に対して回転することによって、前記開口を露出させるとともに前記原稿を案内可能となる第１位置と、前記開口を覆う第２位置とに変位することを特徴とする記録装置。
【請求項２】
前記案内部材は、前記第１位置において、前記読取部によって読み取られた後の前記原稿を受けることを特徴とする請求項１に記載の記録装置。
【請求項３】
前記収容部から前記記録部に向けて延び、前記媒体が搬送される搬送経路を備え、
前記搬送経路は、搬送される前記媒体を湾曲させる湾曲部分を有し、
前記案内部材は、前記第１位置において、前記湾曲部分の上方に位置することを特徴とする請求項１又は請求項２に記載の記録装置。
【請求項４】
前記収容部から前記記録部に向けて前記媒体を搬送する搬送部を備え、
前記搬送部は、前記収容部から前記記録部に向かう過程において前記媒体の姿勢を反転させる反転ローラーを有し、
前記案内部材は、前記第１位置において、前記反転ローラーの上方に位置することを特徴とする請求項１から請求項３の何れか一項に記載の記録装置。
【請求項５】
前記案内部材は、前記筐体に対して回転するように構成される第１部材と、前記第１部材に対して変位するように構成される第２部材とを有し、
前記第２部材は、前記第１部材に収容される収容位置と、前記第１部材から連なるように延びる延伸位置とに変位することを特徴とする請求項１から請求項４の何れか一項に記載の記録装置。
【請求項６】
前記案内部材は、前記筐体に対して回転する場合に軸となる基端部分と、前記基端部分とは反対の先端部分とを有し、前記先端部分は、前記案内部材が前記第１位置に位置する場合に、前記筐体の後面よりも前方に位置することを特徴とする請求項１から請求項５の何れか一項に記載の記録装置。
【請求項７】
前記読取ユニットは、前記筐体の前面から前記筐体の後面に向かう方向へ前記原稿を供給する供給部を有することを特徴とする請求項１から請求項６の何れか一項に記載の記録装置。
【発明の詳細な説明】
【技術分野】
【０００１】
本発明は、記録装置に関する。
【背景技術】
【０００２】
特許文献１には、記録装置の一例として、原稿を読み取る読取ユニットを備え、媒体に画像を形成する画像形成装置が記載されている。読取ユニットは、原稿を読み取る読取部と、原稿を案内する案内部材の一例であるトレイとを有する。この読取ユニットは、トレイに置かれた原稿を読取部に向けて送ることによって、その原稿を読み取る。
【先行技術文献】
【特許文献】
【０００３】
【特許文献１】特開２００１−１０９２１０号公報
【発明の概要】
【発明が解決しようとする課題】
【０００４】
こうした読取ユニットを備える画像形成装置においては、大気中の塵埃が読取ユニット内に進入することがある。読取ユニットへの塵埃の進入を抑制するためにカバーを設けると、部品点数が増加する。
【課題を解決するための手段】
【０００５】
上記課題を解決する記録装置は、媒体に記録する記録部と、前記記録部を収容する筐体と、前記筐体に対して着脱可能に構成され、前記媒体を収容する収容部と、前記筐体の上部に位置する読取ユニットと、を備え、前記読取ユニットは、原稿を読み取る読取部と、前記原稿を案内するための案内部材と、前記読取部によって読み取られる前記原稿が通過する開口と、を有し、前記案内部材は、前記筐体に対して回転することによって、前記開口を露出させるとともに前記原稿を案内可能となる第１位置と、前記開口を覆う第２位置とに変位する。
【図面の簡単な説明】
【０００６】
【図１】記録装置の一実施形態を示す斜視図。
【図２】案内部材が第１位置に位置するときの斜視図。
【図３】収容部が引き出されたときの斜視図。
【図４】図１における記録装置の断面図。
【図５】図２における記録装置の断面図。
【図６】記録装置の変更例を示す断面図。
【図７】記録装置の別の変更例を示す断面図。
【発明を実施するための形態】
【０００７】
以下、記録装置の一実施形態について図を参照しながら説明する。記録装置は、例えば、用紙等の媒体に液体の一例であるインクを吐出することによって、文字、写真等の画像を記録するインクジェット式のプリンターである。
【０００８】
図１に示すように、記録装置１１は、筐体１２を備える。記録装置１１は、媒体９９に記録する記録部１３を備える。筐体１２は、記録部１３を収容する。記録部１３は、例えば媒体９９に向けて液体を吐出するヘッドである。記録部１３は、筐体１２内を搬送される媒体９９に液体を吐出することにより、媒体９９に画像を記録する。
【０００９】
記録装置１１は、ユーザーが記録装置１１を操作するための操作部１４を備える。操作部１４は、例えば、情報を表示する表示画面１５と、操作に関する指示を記録装置１１に与えるための操作ボタン１６とを有する。本実施形態において、操作部１４は、筐体１２の前面１２Ａに位置する。
【００１０】
本実施形態の記録装置１１は、排出カバー１７を備える。排出カバー１７は、筐体１２に対して開閉可能とされる。排出カバー１７は、筐体１２の前面１２Ａに位置する。図１において、排出カバー１７は閉じている。排出カバー１７が開くことによって、記録された媒体９９を排出可能となる。記録された媒体９９は、筐体１２の前方に向けて排出される。
【００１１】
図１及び図２に示すように、記録装置１１は、読取ユニット１８を備える。読取ユニット１８は、筐体１２の上部に位置する。読取ユニット１８は、原稿９１を読取可能に構成される。原稿９１には、文字、写真などの画像が記録されている。読取ユニット１８内に原稿９１が送られることによって、その原稿９１に記録された画像が読み取られる。すなわち、読取ユニット１８は、シートフィード式のスキャナーである。本実施形態においては、筐体１２の上面１２Ｂに置かれた原稿９１が読取ユニット１８内に送られる。
【００１２】
読取ユニット１８は、原稿９１を案内するための案内部材１９を有する。案内部材１９は、読み取られる原稿９１を案内する。案内部材１９は、筐体１２に対して回転することによって、第１位置Ｄ１と第２位置Ｄ２とに変位するように構成される。本実施形態の案内部材１９は、案内部材１９は、筐体１２に対して開閉するように構成される。図１における案内部材１９は第２位置Ｄ２に位置し、図２における案内部材１９は第１位置Ｄ１に位置する。
【００１３】
案内部材１９は、第１位置Ｄ１に位置する場合に、原稿９１を案内可能となる。例えば、案内部材１９は、第１位置Ｄ１に位置する場合に、読取前の原稿９１が置かれるトレイ、又は読取後の原稿９１を受けるトレイとして機能してもよい。案内部材１９は、読取前の原稿９１が置かれるトレイとして機能する場合、置かれた原稿９１が送られるときにその原稿９１を案内する。案内部材１９は、読取後の原稿９１を受けるトレイとして機能する場合、原稿９１を受けるときにその原稿９１を案内する。案内部材１９は、トレイに限らず、原稿９１を案内する経路として機能してもよい。
【００１４】
案内部材１９は、第２位置Ｄ２に位置する場合に、読取ユニット１８のカバーとして機能する。例えば、案内部材１９は、第２位置Ｄ２に位置する場合に、読取ユニット１８内に大気中の塵埃が進入することを抑制する。
【００１５】
図３に示すように、記録装置１１は、媒体９９を収容する収容部２１を備える。収容部２１は、記録前の媒体９９を収容する。収容部２１は、筐体１２に対して着脱可能に構成される。本実施形態の収容部２１は、例えば、複数の媒体９９を積層する状態で収容可能なカセットである。収容部２１は、筐体１２の前面１２Ａから着脱可能に構成される。図３において収容部２１は、筐体１２から引き出されている。
【００１６】
本実施形態において、収容部２１に排出カバー１７が取り付けられている。そのため、収容部２１が筐体１２から取り外されると、排出カバー１７が筐体１２に対して開く。排出カバー１７は、収容部２１に対して回転可能な状態で取り付けられている。
【００１７】
図４に示すように、本実施形態の記録装置１１は、収容部２１から記録部１３に向けて延びる搬送経路２２を備える。搬送経路２２は、媒体９９が搬送される経路である。収容部２１に収容される媒体９９は、搬送経路２２を通じて記録部１３に搬送される。図４において、筐体１２内に１点鎖線で示される経路が搬送経路２２である。
【００１８】
搬送経路２２は、搬送される媒体９９を湾曲させる湾曲部分２２Ａを有してもよい。この場合、湾曲部分２２Ａを媒体９９が搬送されるときに、搬送経路２２は、その媒体９９を湾曲させる。湾曲部分２２Ａは、搬送経路２２において、湾曲しながら延びる部分である。
【００１９】
記録装置１１は、片面に記録された媒体９９を搬送経路２２に戻すための反転経路２３を備えてもよい。本実施形態においては、図４において、筐体１２内に破線で示される経路が反転経路２３である。反転経路２３は、搬送経路２２の下流部分と搬送経路２２の上流部分とに繋がる。反転経路２３と搬送経路２２との接続点は、搬送経路２２において、湾曲部分２２Ａを挟むように位置する。
【００２０】
例えば、媒体９９の両面に記録する場合に、反転経路２３を媒体９９が搬送される。片面に記録された媒体９９は、搬送経路２２を通常とは逆向きに搬送されることによって、反転経路２３に案内される。反転経路２３に案内された媒体９９は、反転経路２３を搬送されることによって、搬送経路２２に戻される。搬送経路２２に戻された媒体９９は、再び搬送経路２２を記録部１３に向けて搬送される。このとき、媒体９９は、記録された面とは反対の面が記録部１３と対向する姿勢となる。このようにして、記録装置１１は、媒体９９の両面に記録する。
【００２１】
本実施形態の記録装置１１は、収容部２１から記録部１３に向けて媒体９９を搬送する搬送部２４を備える。搬送部２４は、例えば、搬送経路２２に沿って媒体９９を搬送する。搬送部２４は、例えば複数のローラーで構成される。搬送部２４を構成する複数のローラーは、例えば、搬送経路２２に沿って配置される。
【００２２】
搬送部２４は、収容部２１から記録部１３に向かう過程において媒体９９の姿勢を反転させる反転ローラー２４Ａを有してもよい。反転ローラー２４Ａは、媒体９９を湾曲させながら搬送する。これにより、媒体９９の姿勢が、収容部２１から記録部１３に向かう過程で、上下に反転する。本実施形態の反転ローラー２４Ａは、搬送経路２２の湾曲部分２２Ａに、その外周面が沿うように位置する。すなわち、湾曲部分２２Ａは、搬送経路２２において、反転ローラー２４Ａの外周面に沿って延びる部分である。
【００２３】
図５に示すように、読取ユニット１８は、原稿９１を読み取る読取部２６を有する。読取部２６は、例えばイメージセンサーモジュールである。読取部２６は、読取ユニット１８において固定される。読取部２６は、読取ユニット１８外から読取ユニット１８内に送られる原稿９１を読み取る。本実施形態の読取部２６は、原稿９１を下方から読み取る。そのため、本実施形態の読取部２６は、筐体１２の上面１２Ｂに置かれた原稿９１の下面を読み取る。
【００２４】
読取ユニット１８は、読取部２６によって読み取られる原稿９１が通過する開口２７を有する。本実施形態の開口２７は、読取部２６に向けて原稿９１を供給するための供給開口２８と、読取後に原稿９１を排出するための排出開口２９とを含む。原稿９１は、供給開口２８を通過することによって、読取ユニット１８外から読取ユニット１８内に送られる。原稿９１は、排出開口２９を通過することによって、読取ユニット１８内から読取ユニット１８外に送られる。原稿９１は、読取ユニット１８にセットされる場合、その先端が供給開口２８に差し込まれた状態で筐体１２の上面１２Ｂに置かれる。
【００２５】
読取ユニット１８は、読取部２６によって読み取られる原稿９１が通過する供給経路３１を有する。供給経路３１は、供給開口２８と排出開口２９とに繋がる経路である。読取部２６は、供給経路３１を通過する原稿９１を読み取る。
【００２６】
本実施形態の読取ユニット１８は、原稿９１を供給する供給部３２を有する。本実施形態の供給部３２は、筐体１２の前面１２Ａから筐体１２の後面１２Ｃに向かう方向へ原稿９１を供給する。筐体１２の後面１２Ｃとは、筐体１２の前面１２Ａとは反対の面である。供給部３２は、読取部２６に向けて原稿９１を供給する。供給部３２は、例えばローラー対である。
【００２７】
本実施形態の読取ユニット１８は、原稿９１を排出する排出部３３を有する。本実施形態の排出部３３は、筐体１２の前面１２Ａから筐体１２の後面１２Ｃに向かう方向へ原稿９１を排出する。排出部３３は、例えばローラー対である。供給部３２及び排出部３３は、供給経路３１に沿って原稿９１を送る。
【００２８】
図４及び図５に示すように、読取部２６、供給部３２及び排出部３３は、供給経路３１沿いに並んで配置される。原稿９１が送られる方向において、供給部３２、読取部２６、排出部３３は、この順で供給経路３１沿いに並んで配置される。尚、供給部３２は供給ローラー、排出部３３は排出ローラーである。
【００２９】
案内部材１９は、第１位置Ｄ１において、開口２７を露出させる。本実施形態の案内部材１９は、供給開口２８と排出開口２９との双方を露出させる。これにより、原稿９１が開口２７を通過可能となる。すなわち、案内部材１９が第１位置Ｄ１に位置する場合に、ユーザーは、読取ユニット１８を使用できる。
【００３０】
開口２７が常に露出していると、大気中の塵埃が開口２７を通じて読取ユニット１８内に進入することがある。特に、塵埃が読取部２６に付着すると、読取精度が低下するおそれがある。
【００３１】
案内部材１９は、第２位置Ｄ２において、開口２７を覆う。本実施形態の案内部材１９は、供給開口２８と排出開口２９との双方を覆う。案内部材１９が第２位置Ｄ２に位置することによって、開口２７から読取ユニット１８内に大気中の塵埃が進入することを抑制できる。このように、原稿９１を案内するための部材である案内部材１９が塵埃の進入を抑制することによって、部品点数を増加させることなく、読取ユニット１８内に塵埃が進入することを抑制できる。例えば、ユーザーは、読取ユニット１８を使用しない場合に、案内部材１９を第２位置Ｄ２に位置させる。
【００３２】
本実施形態の案内部材１９は、第１位置Ｄ１において、読取部２６によって読み取られた後の原稿９１を受ける。すなわち、本実施形態の案内部材１９は、第１位置Ｄ１において、読取後の原稿９１を受けるトレイとして機能する。こうすると、読取部２６によって読み取られた後の原稿９１を受ける案内部材１９を、塵埃の進入を抑制する構成として機能させることができる。本実施形態においては、排出開口２９を通過した原稿９１の先端が案内部材１９に接触することによって、案内部材１９が原稿９１を案内する。
【００３３】
本実施形態の案内部材１９は、筐体１２に対して回転する場合に軸となる基端部分１９Ａと、基端部分１９Ａとは反対の先端部分１９Ｂとを有する。本実施形態において、基端部分１９Ａは、筐体１２の上部において、読取部２６よりも後方に位置する。すなわち、筐体１２の上部において、基端部分１９Ａと筐体１２の後面１２Ｃとの間の距離は、読取部２６と筐体１２の後面１２Ｃとの間の距離よりも短い。案内部材１９は、先端部分１９Ｂが変位することによって開閉する。先端部分１９Ｂとは、基端部分１９Ａとは反対の端部である。
【００３４】
本実施形態において、先端部分１９Ｂは、案内部材１９が第１位置Ｄ１に位置する場合に、筐体１２の後面１２Ｃよりも前方に位置する。この場合、筐体１２を上方から見ると、案内部材１９と筐体１２とが重なる。これにより、記録装置１１の設置に要する設置面積の増加を抑制できる。
【００３５】
仮に、案内部材１９が第１位置Ｄ１に位置する場合に、先端部分１９Ｂが筐体１２の後面１２Ｃよりも後方に位置する場合を考える。この場合、筐体１２を上方から見ると、先端部分１９Ｂが筐体１２からはみ出るように位置する。そのため、この場合においては、記録装置１１の設置面積が増加する。
【００３６】
本実施形態の案内部材１９は、筐体１２の上部において先端部分１９Ｂと筐体１２の後面１２Ｃとの間の距離が短くなるように回転することによって、第１位置Ｄ１に変位する。案内部材１９は、筐体１２の上部において先端部分１９Ｂと筐体１２の前面１２Ａとの間の距離が短くなるように回転することによって、第２位置Ｄ２に変位する。
【００３７】
案内部材１９は、第１位置Ｄ１において、湾曲部分２２Ａの上方に位置してもよい。すなわち、筐体１２を上方から見たときに、第１位置Ｄ１に位置する案内部材１９と、湾曲部分２２Ａとが重なっていてもよい。こうすると、記録装置１１の大型化を抑制できる。本実施形態の案内部材１９は、第２位置Ｄ２においても、湾曲部分２２Ａの上方に位置する。特に、基端部分１９Ａが、湾曲部分２２Ａの上方に位置する。
【００３８】
案内部材１９は、第１位置Ｄ１において、反転ローラー２４Ａの上方に位置してもよい。すなわち、筐体１２を上方から見たときに、第１位置Ｄ１に位置する案内部材１９と、反転ローラー２４Ａとが重なっていてもよい。こうすると、記録装置１１の大型化を抑制できる。本実施形態の案内部材１９は、第２位置Ｄ２においても、反転ローラー２４Ａの上方に位置する。特に、基端部分１９Ａが、反転ローラー２４Ａの上方に位置する。
【００３９】
次に、上記実施形態の作用及び効果について説明する。
（１）案内部材１９は、筐体１２に対して回転することによって、開口２７を露出させるとともに原稿９１を案内可能となる第１位置Ｄ１と、開口２７を覆う第２位置Ｄ２とに変位する。案内部材１９が第２位置Ｄ２に位置することによって、開口２７から読取ユニット１８内に塵埃が進入することを抑制できる。このように、原稿９１を案内するための部材である案内部材１９が塵埃の進入を抑制することによって、部品点数を増加させることなく、読取ユニット１８に塵埃が進入することを抑制できる。
【００４０】
（２）案内部材１９は、第１位置Ｄ１において、読取部２６によって読み取られた後の原稿９１を受ける。この場合、読取部２６によって読み取られた後の原稿９１を受ける案内部材１９を、塵埃の進入を抑制する構成として機能させることができる。
【００４１】
（３）案内部材１９は、第１位置Ｄ１において、湾曲部分２２Ａの上方に位置する。これにより、記録装置１１の大型化を抑制できる。
（４）案内部材１９は、第１位置Ｄ１において、反転ローラー２４Ａの上方に位置する。これにより、記録装置１１の大型化を抑制できる。
【００４２】
（５）先端部分１９Ｂは、案内部材１９が第１位置Ｄ１に位置する場合に、筐体１２の後面１２Ｃよりも前方に位置する。これにより、記録装置１１の設置に要する設置面積の増加を抑制できる。
【００４３】
（６）読取ユニット１８は、筐体１２の前面１２Ａから後面１２Ｃに向かう方向へ原稿９１を供給する供給部３２を有する。この場合、ユーザーは、筐体１２の前方から原稿９１を読取ユニット１８に供給できる。そのため、記録装置１１の使い勝手が向上する。
【００４４】
本実施形態は、以下のように変更して実施することができる。本実施形態及び以下の変更例は、技術的に矛盾しない範囲で互いに組み合わせて実施することができる。
・図６に示すように、案内部材１９は、原稿９１の姿勢を上下に反転させるように原稿９１を案内する経路として機能してもよい。この変更例において、原稿９１は、案内部材１９に案内されることによって、姿勢が反転された状態で読取ユニット１８上に排出される。そのため、原稿９１は、読取部２６によって読み取られた面が上を向く姿勢で、読取ユニット１８上に排出される。
【００４５】
案内部材１９は、例えば、排出される原稿９１の姿勢を反転させるためのフラップ３５を有する。読取部２６に読み取られた原稿９１は、フラップ３５に接触することによって、読取ユニット１８上に案内される。このとき、原稿９１の姿勢が上下に反転される。
【００４６】
フラップ３５は、折り畳み可能に構成されてもよい。図７において、フラップ３５は、引き出された状態である。フラップ３５を折り畳むことによって、案内部材１９をトレイとして機能させることができる。
【００４７】
・図７に示すように、案内部材１９は、第１部材３６と、第２部材３７とを有してもよい。第１部材３６は、筐体１２に対して回転するように構成される。第２部材３７は、第１部材３６に対して変位するように構成される。第２部材３７は、第１部材３６に収容される収容位置Ｅ１と、第１部材３６から連なるように延びる延伸位置Ｅ２とに変位する。図７において、第２部材３７は、延伸位置Ｅ２に位置する。図７において、２点鎖線で示される位置が収容位置Ｅ１である。
【００４８】
第２部材３７は、第１部材３６に対して挿抜可能に構成されてもよい。この場合、第２部材３７は、第１部材３６に向けて押し込まれることによって収容位置Ｅ１に変位し、第１部材３６から引き出されることによって延伸位置Ｅ２に変位する。第２部材３７は、第１部材３６に対して折り畳み可能に構成されてもよい。この場合、第２部材３７は、第１部材３６に対して折り畳まれることによって収容位置Ｅ１に変位し、第１部材３６に対して引き出されることによって延伸位置Ｅ２に変位する。
【００４９】
案内部材１９においては、第２部材３７が延伸位置Ｅ２に位置することによって、その全長が延びる。すなわち、第２部材３７が延伸位置Ｅ２に位置する場合に案内部材１９が案内できる原稿９１の最大サイズは、第２部材３７が収容位置Ｅ１に位置する場合に案内部材１９が案内できる原稿９１の最大サイズよりも大きい。
【００５０】
この変更例によれば、以下の効果を得ることができる。
（７）第２部材３７が延伸位置Ｅ２に位置することによって、案内部材１９は、サイズの大きな原稿９１を案内できる。
【００５１】
・供給部３２は、筐体１２の後面１２Ｃから筐体１２の前面１２Ａに向かう方向へ原稿９１を供給してもよい。この場合、排出部３３は、供給部３２と同様に、筐体１２の後面１２Ｃから筐体１２の前面１２Ａに向かう方向へ原稿９１を排出してもよい。
【００５２】
・基端部分１９Ａは、読取部２６よりも前方に位置してもよい。すなわち、筐体１２の上部において、基端部分１９Ａと筐体１２の前面１２Ａとの間の距離は、読取部２６と筐体１２の前面１２Ａとの間の距離よりも短くてもよい。
【００５３】
・読取部２６が、供給経路３１の下方に設けられているが、上方に設けられてもよく、また上方、下方の両方に設けられてもよい。
・案内部材１９は、筐体１２の上部において先端部分１９Ｂと筐体１２の後面１２Ｃとの間の距離が短くなるように回転することによって、第２位置Ｄ２に変位してもよい。案内部材１９は、筐体１２の上部において先端部分１９Ｂと筐体１２の前面１２Ａとの間の距離が短くなるように回転することによって、第１位置Ｄ１に変位してもよい。
【００５４】
・媒体９９は、金属フィルム、プラスチックフィルム、布帛などでもよい。
・記録部１３は、媒体９９に液体を吐出することによって記録する構成に限らず、媒体９９に熱を加えることによって記録する構成でもよいし、媒体９９に打刻することによって記録する構成でもよい。
【００５５】
・案内部材１９は、第２位置Ｄ２において、供給開口２８及び排出開口２９の何れか一方のみを覆うように構成されてもよい。この構成においても、読取ユニット１８内に塵埃が進入することを抑制できる。
【００５６】
・記録部１３が吐出する液体はインクに限らず、例えば機能材料の粒子が液体に分散又は混合されてなる液状体などでもよい。例えば、記録部１３が液晶ディスプレイ、エレクトロルミネッセンスディスプレイ及び面発光ディスプレイの製造などに用いられる電極材または画素材料などの材料を分散または溶解のかたちで含む液状体を噴射してもよい。
【００５７】
以下に、上述した実施形態及び変更例から把握される技術的思想及びその作用効果を記載する。
（Ａ）記録装置は、媒体に記録する記録部と、前記記録部を収容する筐体と、前記筐体に対して着脱可能に構成され、前記媒体を収容する収容部と、前記筐体の上部に位置する読取ユニットと、を備え、前記読取ユニットは、原稿を読み取る読取部と、前記原稿を案内するための案内部材と、前記読取部によって読み取られる前記原稿が通過する開口と、を有し、前記案内部材は、前記筐体に対して回転することによって、前記開口を露出させるとともに前記原稿を案内可能となる第１位置と、前記開口を覆う第２位置とに変位する。
【００５８】
この構成によれば、案内部材が第２位置に位置することによって、開口から読取ユニット内に塵埃が進入することを抑制できる。原稿を案内するための部材である案内部材が塵埃の進入を抑制することによって、部品点数を増加させることなく、読取ユニット内に塵埃が進入することを抑制できる。
【００５９】
（Ｂ）上記記録装置において、前記案内部材は、前記第１位置において、前記読取部によって読み取られた後の前記原稿を受けてもよい。
この構成によれば、読取部によって読み取られた後の原稿を受ける案内部材を、塵埃の進入を抑制する構成として機能させることができる。
【００６０】
（Ｃ）上記記録装置は、前記収容部から前記記録部に向けて延び、前記媒体が搬送される搬送経路を備え、前記搬送経路は、搬送される前記媒体を湾曲させる湾曲部分を有し、前記案内部材は、前記第１位置において、前記湾曲部分の上方に位置してもよい。
【００６１】
この構成によれば、記録装置の大型化を抑制できる。
（Ｄ）上記記録装置は、前記収容部から前記記録部に向けて前記媒体を搬送する搬送部を備え、前記搬送部は、前記収容部から前記記録部に向かう過程において前記媒体の姿勢を反転させる反転ローラーを有し、前記案内部材は、前記第１位置において、前記反転ローラーの上方に位置してもよい。
【００６２】
この構成によれば、記録装置の大型化を抑制できる。
（Ｅ）上記記録装置において、前記案内部材は、前記筐体に対して回転するように構成される第１部材と、前記第１部材に対して変位するように構成される第２部材とを有し、前記第２部材は、前記第１部材に収容される収容位置と、前記第１部材から連なるように延びる延伸位置とに変位してもよい。
【００６３】
この構成によれば、第２部材が延伸位置に位置することによって、案内部材は、サイズの大きな原稿を案内できる。
（Ｆ）上記記録装置において、前記案内部材は、前記筐体に対して回転する場合に軸となる基端部分と、前記基端部分とは反対の先端部分とを有し、前記先端部分は、前記案内部材が前記第１位置に位置する場合に、前記筐体の後面よりも前方に位置してもよい。
【００６４】
この構成によれば、記録装置の設置に要する設置面積の増加を抑制できる。
（Ｇ）上記記録装置において、前記読取ユニットは、前記筐体の前面から前記筐体の後面に向かう方向へ前記原稿を供給する供給部を有してもよい。
【００６５】
この構成によれば、ユーザーは、筐体の前方から原稿を読取ユニットに供給できる。そのため、記録装置の使い勝手が向上する。
【符号の説明】
【００６６】
１１…記録装置、１２…筐体、１２Ａ…前面、１２Ｂ…上面、１２Ｃ…後面、１３…記録部、１４…操作部、１５…表示画面、１６…操作ボタン、１７…排出カバー、１８…読取ユニット、１９…案内部材、１９Ａ…基端部分、１９Ｂ…先端部分、２１…収容部、２２…搬送経路、２２Ａ…湾曲部分、２３…反転経路、２４…搬送部、２４Ａ…反転ローラー、２６…読取部、２７…開口、２８…供給開口、２９…排出開口、３１…供給経路、３２…供給部、３３…排出部、３５…フラップ、３６…第１部材、３７…第２部材、９１…原稿、９９…媒体、Ｄ１…第１位置、Ｄ２…第２位置、Ｅ１…収容位置、Ｅ２…延伸位置。
【図１】
2020191527.tif 000003
【図２】
2020191527.tif 000004
【図３】
2020191527.tif 000005
【図４】
2020191527.tif 000006
【図５】
2020191527.tif 000007
【図６】
2020191527.tif 000008
【図７】
2020191527.tif 000009